(57)【特許請求の範囲】
【請求項１】
水田や畑の擁壁を形成する田畑の擁壁構造体であって、プラスチックのブロック体を上下縦横方向に複数連結することによって、草などの生えない田畑の擁壁を構成する田畑の擁壁構造体において、
前記ブロック体は、後方が開口された箱体と、前記開口部を遮蔽し、前記開口箱体に対向する面に補強リブを有する板材と、から成り、このブロック体内に発泡スチロールが充填されていることを特徴とする田畑の擁壁構造体。
【請求項２】
前記ブロック体の上端部近傍と下端部近傍に複数箇所挿通孔が設けられ、この挿通孔を利用して崩落防止杭が土中に貫通されている請求項１に記載の田畑の擁壁構造体。
【請求項３】
前記ブロック体の上下端部の少なくとも一方にＬ字状、もしくは逆Ｌ字状の連結面が形成されており、該連結面は複数箇所挿通孔を有し、この連結面の前記挿通孔を利用して、上下の擁壁構造体が連接されている請求項１または請求項２に記載の田畑の擁壁構造体。
【請求項４】
左右に隣接する前記ブロック体は、上端部から下端部にいくに従い短尺に形成されており、かつ、このブロック体の側端には噛合用の櫛歯が形成されている請求項１ないし請求項３のいずれかに記載の田畑の擁壁構造体。
【請求項５】
離間して隣接する前記ブロック体の右端部と左端部との離間部に、発泡スチロールを嵌入して、この前方よりコ字状に成形され、所定位置に複数箇所挿通孔を有するプラスチック部材を被覆するようにした請求項１に記載の田畑の擁壁構造体。
【発明の詳細な説明】
【０００１】
【発明の属する技術分野】
本発明は、水田や畑の擁壁を形成する擁壁構造体に関する。
【０００２】
【従来の技術】
従来、水田Ａや畑の周囲には、水田Ａや畑と農道もしくは隣接する山林等を仕切る土手（擁壁）Ｂが形成されており、特に山間部に形成されているあぜ道や区画路は、水田や畑の表面との高低差が非常に大きい土手（擁壁）Ｂが形成されている。又、平野部においても大型機械を水田Ａや畑に搬入するために、その重量に耐え得るために比較的大きな農道も敷設されており、この農道の側壁も大きな土手（擁壁）Ｂが形成されている。
【０００３】
上述の土手（擁壁）Ｂは、水田や畑の肥沃な土によって形成されているものや、水田Ａや畑に蒔かれた肥料の恩恵を十分に受けた土によって形成されているため、雑草Ｃの成育にも絶好の環境である。
【０００４】
しかし、水田周りの土手（擁壁）や農道の土手（擁壁）の雑草Ｃを放置すると、雑草Ｃは群生し、水田Ａの風通しと陽当たりとが悪くなるとともに、害虫発生の原因にもなりかねなく、さらには、水田Ａ内の除草や水の管理等の農作業にも障害になるために、土手（擁壁）Ｂの雑草の除草は、農業従事者によって、草刈り鎌や自動草刈り鎌を用いて、適宜行なわれている。
【０００５】
【発明が解決しようとする課題】
しかしながら、高年齢層の多い農業従事者にとって、真夏の炎天下に行うこれら除草作業は、大変な重労働になっており、本発明は、この水田Ａや畑の土手（擁壁）Ｂの雑草Ｃの除草作業を、前記農業従事者から開放することに着目してなされたものであり、自然環境の違い（例えば、地形、気候）や農業環境の違い（例えば、大規模農業、小規模農業）にも対応し、且つ、雑草の生えない土手（擁壁）を提供することを目的としている。
【０００６】
【課題を解決するための手段】
上記課題を解決するために、本発明の擁壁構造体は、水田や畑の擁壁を形成する田畑の擁壁構造体であって、プラスチックのブロック体を上下縦横方向に複数連結することによって、草などの生えない田畑の擁壁を構成する田畑の擁壁構造体において、
前記ブロック体は、後方が開口された箱体と、前記開口部を遮蔽し、前記開口箱体に対向する面に補強リブを有する板材と、から成り、このブロック体内に発泡スチロールが充填されていることを特徴とする。
この特徴によれば、土手（擁壁）に、プラスチックの箱体を並べて土手（擁壁）を構成するため構造体を用いると、土手（擁壁）に雑草が生えることがなく、しかも、土圧に対する板材の強度が増大するばかりでなく、開口箱体内を支持するように板材の補強リブが当接するため、水圧等の外圧による前記ブロック体の凹みを防止できるとともに、前記ブロック体を水田や畑などの軟弱な地盤の上に載置しても、水の浮力によって、発泡スチロールを押し上げ、前記ブロック体の土中への埋没を防止できる。
【０００８】
本発明の擁壁構造体は、前記ブロック体の上端部近傍と下端部近傍に複数箇所挿通孔が設けられ、この挿通孔を利用して崩落防止杭が土中に貫通されていることが好ましい。
このようにすれば、前記挿通孔を利用して、崩落防止杭が前記ブロック体の内部を貫通し水田や畑などの土手（擁壁）の地盤に埋設できるため、前記ブロック体の崩落を効果的に防止できる。
【０００９】
本発明の擁壁構造体は、前記ブロック体の上下端部の少なくとも一方にＬ字状、もしくは逆Ｌ字状の連結面が形成されており、該連結面は複数箇所挿通孔を有し、この連結面の前記挿通孔を利用して、上下の擁壁構造体が連接されていることが好ましい。
このようにすれば、上下に連結される前記ブロック体を確実に嵌合でき、さらに、前記挿通孔を利用して、崩落防止杭を水田や畑などの土手（擁壁）の地盤に貫通できるため、前記ブロック体同士の段差のずれを強固に防止できる。
【００１０】
本発明の擁壁構造体は、左右に隣接する前記ブロック体は、上端部から下端部にいくに従い短尺に形成されており、かつ、このブロック体の側端には噛合用の櫛歯が形成されていることが好ましい。
このようにすれば、隣接する前記ブロック体同士をＶ字状に嵌合できるため、水田や畑の土手（擁壁）のコーナーに、容易に敷設できる。
【００１１】
本発明の擁壁構造体は、離間して隣接する前記ブロック体の右端部と左端部との離間部に、発泡スチロールを嵌入して、この前方よりコ字状に成形され、所定位置に複数箇所挿通孔を有するプラスチック部材を被覆することが好ましい。
このようにすれば、隣接する擁壁構造体同士の離間部が遮蔽され、土手（擁壁）からの土砂の崩落が防止できるとともに、前記挿通孔を利用して、崩落防止杭を水田や畑などの土手（擁壁）の地盤に貫通できるため、プラスチック部材の崩落を防止でき、所望の長さの擁壁構造体を欠落することなく敷設できる。
【００１２】
【発明の実施の形態】
以下、本発明の実施例を図面に基づいて説明すると、図１には、本発明の擁壁構造体内の破断図が示されており、図２には、本発明の擁壁構造体の組立工程の斜視図が示されており、図３には、本発明の離間する擁壁構造体同士を連結するプラスチック部材としてのジョイントカバーの被覆工程の斜視図が示されており、図４には、本発明の擁壁構造体の敷設状態とジョイントカバーの被覆工程との斜視図が示されており、図５には、本発明のコーナー用擁壁構造体の組立工程の斜視図が示されており、図６には、本発明のコーナー用擁壁構造体を擁壁のコーナーに敷設した斜視図が示されており、図７には、従来擁壁の斜視図が示されている。
【００１３】
まず、図１は、擁壁構造体１内の構造が示されており、プラスチック等の廃材を利用して断面コ字状に成形された前板２は、該前板２に対峙する面に縦補強リブ４と横補強リブ５とを複数有する後板３を被覆し、さらに、前板２の端縁部１０１と後板３の端縁部１１１との接合縁部に段部を表出しないように前板２と後板３とが嵌合されている。
【００１４】
また、縦補強リブ４と横補強リブ５との複数の交差部７は円筒状に形成されており、この交差部７の先端は前板裏面９に当接し、さらに、縦補強リブ４と横補強リブ５とから構成される凹部には、発泡スチロールが充填されている。
【００１５】
上述のように、前板２と後板３とから構成された擁壁構造体１の上端部近傍と下端部近傍とには、崩落防止杭１５（図３、図４参照）を該擁壁構造体１に貫通させ、地盤に埋設できるように挿通孔８が複数箇所設けられている。
【００１６】
図中下方に示されている逆Ｌ字状切欠部１０は、擁壁構造体１の下方端縁部に帯状に形成されている。なお、この図１に示されている擁壁構造体１は、図２に示されている上段用擁壁構造体１１の内部構造であるが、図２の中段用擁壁構造体１２、及び下段用擁壁構造体１３の内部構造も同様に構成されている。
【００１７】
図２には、上述した擁壁構造体１を田畑の擁壁に載置する時の組立工程が示されており、擁壁の下段に載置される下段用擁壁構造体１３は、上方端縁部に垂直面１６と水平面１７とから構成された帯状のＬ字状切欠部１４が形成されており、この垂直面１６の下方端部近傍には前述した挿通孔８が複数箇所設けられている。
【００１８】
擁壁の中段に載置される中段用擁壁構造体１２は、上方端縁部と下方端縁部とに垂直面１６と水平面１７とから構成された帯状のＬ字状切欠部１４と逆Ｌ字状切欠部１０が形成されており、これらＬ字状切欠部１４と逆Ｌ字状切欠部１０との垂直面１６には前述した挿通孔８が複数箇所設けられている。
【００１９】
擁壁の上段に載置される上段用擁壁構造体１１は、前述したように下方端縁部に垂直面１６と水平面１７とから構成された帯状の逆Ｌ字状切欠部１０が形成されており、このＬ字状切欠部１４の垂直面１６と上方端部近傍には前述した挿通孔８が複数箇所設けられている。
【００２０】
なお、上述の各擁壁構造体に設けられている挿通孔８は、各擁壁構造体のＬ字状切欠部同士が後述するように嵌合されるとき、崩落防止杭１５が横方向一直線上に挿通できるように設けられている。
【００２１】
上述した上段用擁壁構造体１１、中段用擁壁構造体１２、下段用擁壁構造体１３を図４の図中左側に示されているように田畑の擁壁に載置するには、まず、下段用擁壁構造体１３を擁壁と田畑の底部との交差部に載置するとともに、この下段用擁壁構造体１３の下端部近傍に設けられている複数の挿通孔８を利用して、崩壊防止杭１５を擁壁の地盤に埋設し、下段用擁壁構造体１３を擁壁に固着する。
【００２２】
つぎに、固着した下段用擁壁構造体１３の上方端縁部に帯状に形成されているＬ字状切欠部１４に中段用擁壁構造体１２の下方端縁部に帯状に形成されている逆Ｌ字状切欠部１０を上方より嵌合し、この中段用擁壁構造体１２の下端部近傍に設けられている複数の挿通孔８と、この挿通孔８と横方向一直線上に設けられている下段用擁壁構造体１３の挿通孔８とを利用して、崩壊防止杭１５を擁壁の地盤に埋設し、中段用擁壁構造体１２を擁壁に固着する。
【００２３】
続いて、固着した中段用擁壁構造体１２の上方端縁部に帯状に形成されているＬ字状切欠部１４に上段用擁壁構造体１１の下方端縁部に帯状に形成されている逆Ｌ字状切欠部１０を上方より嵌合し、この上段用擁壁構造体１１の下端部近傍に設けられている複数の挿通孔８と、この挿通孔８と横方向一直線上に設けられている中段用擁壁構造体１２の挿通孔８とを利用して、崩壊防止杭１５を擁壁の地盤に埋設し、中段用擁壁構造体１２を擁壁に固着する。
【００２４】
最後に、固着した上段用擁壁構造体１１の上端部近傍に設けられている複数の挿通孔８を利用して、崩壊防止杭１５を擁壁の地盤に埋設し、上段用擁壁構造体１１を擁壁に固着する。
【００２５】
上述のように、土の擁壁に被覆されたそれぞれの擁壁構造体１は、擁壁の土圧による擁壁構造体１の変形に対応するため、図１に示されている後板３に縦補強リブ４と横補強リブ５とが形成されており、これら補強リブによって、後板３の強度が増大し、擁壁構造体１の変形を防止することができる。
【００２６】
さらに、擁壁構造体１は、前板２の端縁部１０１と後板３の端縁部１１１との接合縁部に段部が表出しないように前板２と後板３とが嵌合されているとともに、縦補強リブ４と横補強リブ５とが交わる円筒状の交差部７の先端が前板裏面９に当接しているため水田内の水圧等や外圧による擁壁構造体１の凹みを防止できる。
【００２７】
また、縦補強リブ４と横補強リブ５とから構成される後板３の凹部には、発泡スチロールが充填されているため、擁壁構造体１を水田や畑などの軟弱な地盤の上に載置しても、水の浮力によって、発泡スチロールを押し上げ、擁壁構造体１の土中への埋没を防止できる。
【００２８】
上述したように、図２に示されている垂直面１６と水平面１７とから構成され、かつ、帯状に形成されている逆Ｌ字状切欠部１０と帯状に形成されているＬ字状切欠部１４とを矢印のように上下擁壁構造体の垂直面１６同士を介して当接し、嵌合することによって、上下に連結される各擁壁構造体の連結嵌合を確実に行える。
【００２９】
また、図３、図４に示されている崩落防止杭１５は、各点擁壁構造体の上端部近傍もしくは、下端部近傍に横方向一直線上に設けられているそれぞれの挿通孔８を利用して各点擁壁構造体の連結嵌合を強固にするばかりでなく、各擁壁構造体同士の段差のずれを強固に防止できる。さらに、崩落防止杭１５の先端が擁壁の土中に貫通されているため、各点擁壁構造体の崩落を効果的に防止できる。
【００３０】
図３は、離間する擁壁構造体同士を連結するプラスチック部材としてのジョイントカバーの被覆工程の斜視図が示されており、まず、図中上方の上段用ジョイントカバー２１は、上端部近傍と下端部近傍とに複数箇所挿通孔８を有する断面コ字状に成形されており、下部端縁部の下端縁折曲片２６は離間部を構成する上段用擁壁構造体１１の下端縁幅よりも短尺に成形されている。
【００３１】
図中中央の中段用ジョイントカバー２２は、上端部近傍と下端部近傍とに複数箇所挿通孔８を有する断面略コ字状に成形されており、上部端縁部にはＬ字状の折曲片２７と、下部端縁部には下端縁折曲片２８とが形成されている。これら上下の折曲片２７、２８は、離間部を構成する中段用擁壁構造体の水平面１７及び下端縁幅よりも短尺に成形されている。
【００３２】
図中下方の下段用ジョイントカバー２３は、上端部近傍と下端部近傍とに複数箇所挿通孔８を有する断面略コ字状に成形されており、上部端縁部にはＬ字状の折曲片２９と、下部端縁部には下端縁折曲片３２とが形成されており、上部端縁部に形成されているＬ字状の折曲片２９の水平面は、離間部を構成する下段用擁壁構造体の水平面１７よりも短尺に成形されている。
【００３３】
上述した上段用ジョイントカバー２１、中段用ジョイントカバー２２、下段用ジョイントカバー２３は崩落防止杭１５を介して擁壁構造体１ａと擁壁構造体１ｂとの離間部３３（図４参照）に載置されており、これらジョイントカバーの組立方法は、図３、図４に示されているように、まず、下段用ジョイントカバー２３のＬ字状の折曲片２９上に中段用ジョイントカバー２２の下端縁折曲片２８を載置し、さらに、中段用ジョイントカバー２２のＬ字状の折曲片２７上に上段用ジョイントカバー２１の下端縁折曲片２６を載置する。
【００３４】
また、各ジョイントカバーと擁壁との間には図４に示されているように、発泡スチロール３０が離間部３３に嵌入されており、この発泡スチロール３０の形状は、嵌入される離間部とほぼ同形に成形されていることが好ましい。
【００３５】
続いて、図３に示されている各崩落防止杭１５を、各ジョイントカバーの左端部と右端部の挿通孔８を介して波状線の方向に貫通させる。この時、各崩落防止杭１５は、擁壁構造体１ａと擁壁構造体１ｂとに形成されている挿通孔８を介して両擁壁構造体１ａ、１ｂを貫通し、さらに、崩落防止杭１５の先端が擁壁の土中に貫通されることで、各ジョイントカバーの離間部３３への装着は完了する。
【００３６】
上記のように、ジョイントカバー２１、２２、２３を複雑な地形での擁壁構造体設置工事で生ずる擁壁構造体１ａ、１ｂ同士の離間部３３に敷設することで、離間部３３の欠落は容易に補完できる。
【００３７】
つまり、隣接する擁壁構造体１ａ、１ｂ同士の離間部３３が遮蔽され、緩衝材としての発泡スチロール３０が影響し土圧による擁壁からの土砂の崩落が防止できるとともに、挿通孔８を利用して、崩落防止杭１５を水田や畑などの土手（擁壁）の地盤に貫通できるため、各ジョイントカバーの崩落を防止でき、所望の長さの擁壁構造体１を欠落することなく敷設できる。
【００３８】
また、上段用ジョイントカバー２１に形成されている下端縁折曲片２６は、離間部３３を構成する上段用擁壁構造体１１の下端縁幅よりも短尺に成形され、中段用ジョイントカバー２２に形成されている上下の折曲片２７、２８は、離間部３３を構成する中段用擁壁構造体１２の水平面１７及び下端縁幅よりも短尺に成形され、下段用ジョイントカバー２３に形成されている上部端縁部に形成されているＬ字状の折曲片２９の水平面は、離間部３３を構成する下段用擁壁構造体１３の水平面１７よりも短尺に成形されているため、離間部３３を構成する各擁壁構造体に影響を及ぼすことなく各ジョイントカバーの敷設を可能にできる。
【００３９】
図５には、本発明の擁壁構造体の組立工程の斜視図が示されており、図６には、本発明の擁壁構造体をコーナーの擁壁に敷設した斜視図が示されており、図５に示されている各擁壁構造体の構成は、図１に示されている擁壁構造体１と同様に構成されているため、ここでは省略する。
【００４０】
また、図２に示されている上段用擁壁構造体１１、中段用擁壁構造体１２、下段用擁壁構造体１３と、図５に示されている上段用コーナー擁壁構造体３５、３８、中段用コーナー擁壁構造体３６、３９、下段用コーナー擁壁構造体３７、４０との違いは、図中に示されているように、隣接する擁壁構造体同士の嵌合部であり、上下の擁壁構造体同士の嵌合部や擁壁敷設作業については、図２の嵌合部の説明と図４の擁壁構造体敷設作業の説明と同様なため、ここでは省略する。
【００４１】
従って、隣接する擁壁構造体同士の各嵌合部を説明する。図５の上方から下方にかけて示されている、上段用、中段用、下段用コーナー擁壁構造体３５、３６、３７の嵌合部及び隣接する上段用、中段用、下段用コーナー擁壁構造体３８、３９、４０の嵌合部は、上方の嵌合部４１、４３と下方の嵌合部４２、４４と複数の櫛歯６１とから成り、噛合用の櫛歯状に形成されている。
【００４２】
さらに、それぞれの嵌合部４１、４２、４３、４４、櫛歯６１が形成されている擁壁構造体の端縁部は上端部から下端部にいくに従い短尺に形成されているため、嵌合する前の対峙する側端嵌合部４１、４２、４３、４４、櫛歯６１は外観上、図５に示されているように八文字をなすように形成されている。
【００４３】
つまり、上段用コーナー擁壁構造体３５と上段用コーナー擁壁構造体３８とが、中段用コーナー擁壁構造体３６と中段用コーナー擁壁構造体３９とが、下段用コーナー擁壁構造体３７と下段用コーナー擁壁構造体４０とがそれぞれに嵌合され、水田や畑の擁壁に載置されたとき、図６に示されているように擁壁構造体はＶ字状をなすように嵌合できる。
【００４４】
従って、上述の噛合用の櫛歯が形成されたコーナー擁壁構造体を、水田や畑の擁壁のコーナーに用いると、傾斜のある擁壁のコーナーにも、容易に擁壁構造体を敷設できる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
【発明の効果】
本発明は以下の効果を奏する。
【００４７】
（ａ）請求項１項の発明によれば、土手（擁壁）に、プラスチックの箱体を並べて土手（擁壁）を構成するため構造体を用いると、土手（擁壁）に雑草が生えることがなく、しかも、土圧に対する板材の強度が増大するばかりでなく、開口箱体内を支持するように板材の補強リブが当接するため、水圧等の外圧による前記ブロック体の凹みを防止できるとともに、前記ブロック体を水田や畑などの軟弱な地盤の上に載置しても、水の浮力によって、発泡スチロールを押し上げ、前記ブロック体の土中への埋没を防止できる。
【００４９】
（ｂ）請求項２項の発明によれば、前記挿通孔を利用して、崩落防止杭が前記ブロック体の内部を貫通し水田や畑などの土手（擁壁）の地盤に埋設できるため、前記ブロック体の崩落を効果的に防止できる。
【００５０】
（ｃ）請求項３項の発明によれば、上下に連結される前記ブロック体を確実に嵌合でき、さらに、前記挿通孔を利用して、崩落防止杭を水田や畑などの土手（擁壁）の地盤に貫通できるため、前記ブロック体同士の段差のずれを強固に防止できる。
【００５１】
（ｄ）請求項４項の発明によれば、隣接する前記ブロック体同士をＶ字状に嵌合できるため、水田や畑の土手（擁壁）のコーナーに、容易に敷設できる。
【００５２】
（ｅ）請求項５項の発明によれば、隣接する擁壁構造体同士の離間部が遮蔽され、土手（擁壁）からの土砂の崩落が防止できるとともに、前記挿通孔を利用して、崩落防止杭を水田や畑などの土手（擁壁）の地盤に貫通できるため、プラスチック部材の崩落を防止でき、所望の長さの擁壁構造体を欠落することなく敷設できる。
【図面の簡単な説明】
【図１】本発明の擁壁構造体適用された擁壁構造体内の破断図である。
【図２】本発明の擁壁構造体の組立工程の斜視図である。
【図３】本発明の離間する擁壁構造体同士を連結するプラスチック部材としてのジョイントカバーの被覆工程の斜視図である。
【図４】本発明の擁壁構造体の敷設状態とジョイントカバーの被覆工程との斜視図である。
【図５】本発明のコーナー用擁壁構造体の組立工程の斜視図である。
【図６】本発明のコーナー用擁壁構造体を擁壁のコーナーに敷設した斜視図である。
【図７】従来擁壁の斜視図である。
【符号の説明】
１、１ａ、１ｂ          擁壁構造体
２                      前板
３                      後板
４                      縦補強リブ
５                      横補強リブ
６                      発泡スチロール
７                      交差部
８                      挿通孔
９                      前板裏面
１０                    逆Ｌ字状切欠部
１１                    上段用擁壁構造体
１２                    中段用擁壁構造体
１３                    下段用擁壁構造体
１４                    Ｌ字状切欠部
１５                    崩落防止杭
１６                    垂直面
１７                    水平面
２１                    上段用ジョイントカバー
２２                    中段用ジョイントカバー
２３                    下段用ジョイントカバー
２５                    上段用ジョイントカバー
２６、２８、３２        下端縁折曲片
２７、２９              折曲片
３０                    発泡スチロール
３３                    離間部
３５、３８              上段用コーナー擁壁構造体
３６、３９              中段用コーナー擁壁構造体
３７、４０              下段用コーナー擁壁構造体
４１、４２、４３、４４  嵌合部
６１                    櫛歯
１０１、１１１          端縁部
Ａ                      水田
Ｂ                      土手（擁壁）
Ｃ                      雑草
【図１】
0004349544.tif 000002
【図２】
0004349544.tif 000003
【図３】
0004349544.tif 000004
【図４】
0004349544.tif 000005
【図５】
0004349544.tif 000006
【図６】
0004349544.tif 000007
【図７】
0004349544.tif 000008